(57)【特許請求の範囲】
【請求項１】
被検眼に対して接近及び離反可能な架台と、被検眼の前眼部を観察するために前記架台内に設けられた前眼部観察光学系と、該前眼部観察光学系の合焦位置を変更するための合焦位置変更手段と、前記架台の被検眼に対する位置を検出するための架台位置検出手段と、該架台位置検出手段からの出力に基づき前記合焦位置変更手段を制御する合焦位置変更制御手段と、前記合焦位置変更手段による合焦位置を変更する動作を禁止する禁止手段とを備えていることを特徴とする眼科装置。
【請求項２】
前記禁止手段は、装置本体の振動による前記合焦位置変更手段のずれを補正するように作動することを特徴とする請求項１に記載の眼科装置。
【発明の詳細な説明】
【０００１】
【発明の属する技術分野】
本発明は、被検眼と装置本体とを所定の位置関係に整合させる必要がある眼科装置に関する。
【０００２】
【従来の技術】
眼科装置には、被検眼の前眼部を観察するための前眼部観察光学系を設け、モニタや接眼レンズ等の観察手段により被検眼の前眼部を観察可能にしたものが知られている。
【０００３】
この観察手段により前眼部を見ながら、光学系を含む架台を三次元方向に動かして被検眼とのアライメント調整を行う。ところで、こうしたアライメント調整の場合には、被検眼に架台先端の測定ヘッド部が接近しすぎないよう、アライメント開始時には測定へッド部が適正な作動距離よりも少し離間した位置にあるように架台を移動させておき、この位置から徐々に架台を被検眼に向って移動させて適正作動距離へと位置合わせを開始するようにするのが一般的である。
【０００４】
しかしながら、こうした操作をする場合、アライメント調整の開始時には、被検眼のピントがずれているので、操作に不慣れなものにとっては、どの方向に測定ヘッドを動かしてよいのかが判らないものであった。
【０００５】
そこで、特開平２−２８３３５２号公報に開示されているように、架台の位置を検出し、その検出結果に基づいて前眼部観察光学系の合焦レンズを制御し、これにより焦点距離を変化（可動焦点）させることができるようにしたものが提案されている。すなわち、被検眼と架台とが離反した状態のときには、その離反した状態のままで被検眼に対する前眼部観察光学系のピントがあうように合焦レンズの位置を制御する一方、被検眼と架台とが適性作動距離に近い位置関係にまで接近した場合には、ピント位置がその適性作動距離付近となるように合焦レンズの位置を制御する。これにより、熟練者でなくとも比較的簡単に位置合わせを行うことができる。
【０００６】
【発明が解決しようとする課題】
しかしながら、特開平２−２８３３５２号公報に開示のものは、操作に不慣れな初心者には操作し易いものであったが、熟練者にとっては却ってアライメントを完了させるのに時間がかかってしまうものであった。
【０００７】
すなわち、操作に熟練した検者は、前眼部観察光学系が固定焦点のものであっても、適正な作動距離へ素早く測定へッドをもっていくことができる。しかし、特開平２−２８３３５２号公報のように焦点位置が切り換わると、判断の基準が変わってしまうことになるので、却って混乱し、時間がかかってしまうことになる。また、混乱しないにしても、合焦レンズの移動が完了するまで待たねばならず、却ってアライメントの完了に時間を要することとなる．
また、片方の眼、例えば、左眼の測定を終えた後、右眼の測定を行うためには、架台を右方向に移動させる必要があるが、この際、被検者の鼻に装置が衡突することを防ぐため、鼻の高さ以上に架台を後方に退避させてから右方向に架台を動かすという動作をする必要がある。
【０００８】
こうした退避動作をすると、特開平２−２８３３５２号公報のものでは．合焦レンズが退避位置に応じた位置へと移動することになることから、上述した合焦レンズが元の位置に戻るような制御がされる。検者は、このレンズの移動の完了を待って操作を再開しなければならないので、固定焦点の場合に比ベアライメントの完了に時間がかかるようになるという不都合がある。
【０００９】
本発明は、初心者、熟練者いずれにとっても使い易く、操作性を向上させることのできる眼科装置を提供することを目的とする。
【００１０】
【課題を解決するための手段】
その目的を達成するため、請求項１に記載の眼科装置は、被検眼に対して接近及び離反可能な架台と、被検眼前眼部を観察するために前記架台内に設けられた前眼部観察光学系と、前記前眼部観察光学系の合焦位置を変更するための合焦位置変更手段と、前記架台の被検眼方向に関する位置を検出するための架台位置検出手段と、前記架台位置検出手段からの出力に基づき前記合焦位置変更手段を制御する合焦位置変更制御手段と、前記合焦位置変更手段の動作を禁止する禁止手段とを備えた眼科装置としたことを要旨とする。
【００１１】
このような請求項１に記載の眼科装置によれば、禁止手段により合焦位置変更手段の制御が許容される場合と禁止される場合とで切り換えることができる。
【００１２】
請求項２に記載の眼科装置は、前記禁止手段は、装置本体の振動による前記合焦位置変更手段のずれを補正するように作動することを要旨とする。
【００１３】
【発明の実施の形態】
以下、本発明の実施の形態を図面に基づいて説明する。
【００１４】
図１１において、眼科装置Ｓは、被検者の頭部を支持する受台１を有する基台２と、基台２の上方に配置される左右前後方向に移動可能な下部架台３と、下部架台３に対して上下左右前後方向に変位可能な上部架台４とを備えている。
【００１５】
下部架台３の検者側上面には手動用撮影スイッチ５ａを有するジョイスティック５と、各種操作スイッチ群６が設けられている。また、下部架台３には、モニタ３ａが設けられている。
【００１６】
上部架台４の前面には、被検眼Ｅと対向するノズル部７が設けられている。また上部架台４内には、図１及び図２に示すように、被検眼Ｅの前眼部を観察するための前眼部観察光学系１０、ＸＹ方向のアライメント検出および角膜変形検出のための指標光を被検眼Ｅの角膜Ｃに正面から投影するＸＹアライメント指標投影光学系２０、被検眼Ｅに固視標を提示する固視標投影光学系３０、ＸＹアライメント指標光の角膜Ｃによる反射光束を受光して眼科装置Ｓと角膜ＣのＸＹ方向の位置関係を検出するＸＹアライメント検出光学系４０、ＸＹアライメント指標光の角膜Ｃによる反射光束を受光し角膜Ｃの変形量を検出する角膜変形検出光学系５０、角膜Ｃに斜めからＺ方向（合焦方向）のアライメント用指標光を投影するＺアライメント指標投影光学系６０、Ｚアライメント指標光の角膜Ｃによる反射光束を前眼部観察光学系１０の光軸に対して対称な方向から受光し眼科装置Ｓと角膜ＣのＺ方向の位置関係を検出するＺアライメント検出光学系７０等の装置光学系が設けられている。
【００１７】
なお、下部架台３の上下左右前後方向の移動は、ジョイスティック５の回転（上下移動用）、左右傾動（左右移動用）、前後傾動（前後移動用）の各操作による手動アライメント時に移動するものとし、上部架台４の上下左右前後方向の移動は自動アライメント時に移動するものであるが、その何れか一方の架台３，４のみを移動可能として全て手動アライメント（本実施の形態）で行う構成としも良い。また、上下架台３，４は手動アライメント式装置の場合には一つの筐体状の架台としても良い。
【００１８】
また、架台３，４の移動は、図１０に示すマイクロスイッチ８によって検出される。
【００１９】
すなわち、下部架台３がある位置よりも前に移動すると、基台２の凸部２ａによりマイクロスイッチ８がＯＮされ、これにより前後方向の下部架台３の位置が検出される。この検出結果は後述する対物レンズ１６の制御に使用される。
【００２０】
前眼部観察光学系１０は、被検眼Ｅの左右に位置して前眼部をダイレクトに照明する複数個の前眼部照明光源１１、気流吹き付けノズル１２、前眼部窓ガラス１３、チャンバー窓ガラス１４、ハーフミラー１５、対物レンズ１６、ハーフミラー１７，１８、ＣＣＤカメラ１９を備え、Ｏ１はその光軸である。
【００２１】
前眼部照明光源１１によって照明された被検眼Ｅの前眼部像は、気流吹き付けノズル１２の内外を通り、前眼部窓ガラス１３、チャンバー窓ガラス１４、ハーフミラー１５を透過し、対物レンズ１６により集束されつつハーフミラー１７，１８を透過してＣＣＤカメラ１９上に形成される。ノズル部７は気流吹き付けノズル１２と同一でも良いし、気流吹き付けノズル１２と連通したノズル若しくは気流吹き付けノズル１２を覆うカバーとしても良い。
【００２２】
対物レンズ１６は、図７（Ａ）に示すように、レンズ保持ユニット９０に保持されると共に、モータユニット１００のモータ１０１によって対物レンズ１６が光軸Ｏ１に沿って二位置間で移動される。尚、レンズ保持ユニット９０とモータ１０１とは合焦位置変更手段を構成し、装置本体の操作部（図示せず）でのモード選択操作に応じてモータ１０１が駆動する。
【００２３】
レンズ保持ユニット９０は、架台３に固定されると共に光軸Ｏ１と同軸な保持筒部９１ａを有するベース９１と、保持筒部９１ａ内で光軸Ｏ１に沿って移動自在なレンズセル９２と、このレンズセル９２と共同して対物レンズ１６を挟持する環状の押え部材９３とを備えている。また、保持筒部９１ａには軸線方向に沿って延びる長孔９１ｂが形成され、この長孔９１ｂにはレンズセル９２から突出されたピン９２ａが臨んでいる。
【００２４】
ピン９２ａは、被検眼Ｅと架台３とが離隔している場合には、図７（Ｂ）に示すように、長孔９１ｂのＣＣＤカメラ１９側の端部に当接される。また、被検眼Ｅと架台３とが近接している場合には、図７（Ａ）に示すように、長孔９１ｂのノズル１２側の端部に当接される。
【００２５】
モータユニット１００は、図８（Ａ），（Ｂ）に示すように、正逆転可能なモータ１０１と、モータ１０１の出力軸１０１ａに固定のブラケット１０２と、ブラケット１０２の一面側に位置して出力軸１０１ａが貫通するアーム部材１０３と、アーム部材１０３の環状ベース部１０３ａをブラケット１０２の一面側と共同して挟持する押座金１０４並びに複数の板バネ等のクラッチ部材１０５と、出力軸１０１ａの先端ねじ部と螺合して押座金１０４をベース部１０３ａに向けて付勢させるナット１０６とを備えている。
【００２６】
アーム部材１０３の先端にはアーム部材１０３の延在方向に沿って延びる凹部１０３ｂが設けられ、この凹部１０３ｂにはピン９２ａが変位可能に係合している。
【００２７】
モータ１０１が駆動すると、出力軸１０１ａと一体にブラケット１０２が回転すると同時に、クラッチ部材１０５の付勢力によってアーム部材１０３が一体に回転する。
【００２８】
このアーム部材１０３の回転は、凹部１０３ｂの内で延在方向にズレつつピン９２ａを長孔９１ｂ内で変位させ、これにより対物レンズ１６を移動させる。そして、ピン９２ａが長孔９１ｂの端部に当接（図９（Ａ），（Ｂ））すると、それ以上の変位が停止されて対物レンズ１６を適正な位置に位置決めすると同時にクラッチ部材１０５の付勢に抗してスリップ（空回り）する。
【００２９】
この際のモータ１０１は、所定時間経過後の駆動停止やクラッチ部材１０５のスリップに伴う負荷検出で駆動停止によって、焼付が防止されると共に対物レンズ１６の確実な位置決めを実現することができる。
【００３０】
ＸＹアライメント指標投影光学系２０は、赤外光を出射するＸＹアライメント用光源２１、集光レンズ２２、開口絞り２３、ピンホール板２４、ダイクロイックミラー２５、ピンホール板２４に焦点を一致させるように光路上に配置された投影レンズ２６、ハーフミラー１５、チャンバー窓ガラス１４、気流吹き付けノズル１２を有する。
【００３１】
ＸＹアライメント用光源２１から出射された赤外光は、集光レンズ２２により集束されつつ開口絞り２３を通過し、ピンホール板２４に導かれる。そして、ピンホール板２４を通過した光束は、ダイクロイックミラー２５で反射され、投影レンズ２６によって平行光束となってハーフミラー１５で反射された後に、チャンバー窓ガラス１４を透過して気流吹き付けノズル１２の内部を通過し、図３に示すようにＸＹアライメント指標光Ｋを形成する。図３においてＸＹアライメント指標光Ｋは、角膜Ｃの頂点Ｐと角膜Ｃの曲率中心との中間位置に輝点像Ｒを形成するようにして角膜表面Ｔで反射される。なお、開口絞り２３は投影レンズ２６に関して角膜頂点Ｐと共役な位置に設けられている。
【００３２】
固視標光学系３０は、可視光を出射する固視標用光源３１、ピンホール板３２、ダイクロイックミラー２５、投影レンズ２６、ハーフミラー１５、チャンバー窓ガラス１４、気流吹き付けノズル１２を有する。
【００３３】
固視標用光源３１から出射された固視標光は、ピンホール板３２、ダイクロイックミラー２５を経て、投影レンズ２６により平行光とされハーフミラー１５で反射された後に、チャンバー窓ガラス１４を透過し、気流吹き付けノズル１２の内部を通過して被検眼Ｅに導かれる。被検者はその固視標を固視目標として注視することにより視線が固定される。
【００３４】
ＸＹアライメント検出光学系４０は、気流吹き付けノズル１２、チャンバー窓ガラス１４、ハーフミラー１５、対物レンズ１６、ハーフミラー１７，１８、センサ４１、ＸＹアライメント検出回路４２を有する。
【００３５】
ＸＹアライメント指標投影光学系２０により角膜Ｃに投影され、角膜表面Ｔで反射された反射光束は、ノズル１２の内部を通りチャンバー窓ガラス１４、ハーフミラー１５を透過し、対物レンズ１６により集束されつつハーフミラー１７でその一部が透過し、ハーフミラー１８でその一部が反射される。
【００３６】
ハーフミラー１８で反射された光束は、センサ４１上に輝点像Ｒ’１を形成する。センサ４１はＰＳＤのような位置検出可能な受光センサである。ＸＹアライメント検出回路４２は、センサ４１の出力を基にして、眼科装置Ｓと角膜Ｃの位置関係（ＸＹ方向）を公知の手段によって演算し、その演算結果をＺアライメント検出補正回路７４および制御回路８０に出力する。
【００３７】
一方、ハーフミラー１８を透過した角膜Ｃによる反射光束は、ＣＣＤカメラ１９上に輝点像Ｒ’２を形成する。ＣＣＤカメラ１９はモニタ３ａに画像信号を出力し、図４に示すように、被検眼Ｅの前眼部像Ｅ’、ＸＹアライメント指標光の輝点像Ｒ’２がモニタ３ａに表示される。なお、Ｈは図示しない画像生成手段によって生成されたアライメント補助マークである。
【００３８】
さらに、ハーフミラー１７によって反射された一部の光束は、角膜変形検出光学系５０に導かれ、ピンホール板５１を通過してセンサ５２に導かれる。センサ５２はフォトダイオードのような光量検出の可能な受光センサである。
【００３９】
Ｚアライメント指標投影光学系６０は、赤外光を出射するＺアライメント用光源６１、集光レンズ６２、開口絞り６３、ピンホール板６４、ピンホール板６４に焦点を一致させるように光路上に配置された投影レンズ６５を有し、Ｏ２はその光軸である。
【００４０】
Ｚアライメント光源６１を出射した赤外光は、集光レンズ６２により集光されつつ開口絞り６３を通過してピンホール板６４に導かれる。ピンホール板６４を通過した光束は、投影レンズ６５によって平行光とされ角膜Ｃに導かれ、図５に示すように、輝点像Ｑを形成するようにして角膜表面Ｔにおいて反射される。なお、開口絞り６３は投影レンズ６５に関して角膜頂点Ｐと共役な位置に設けられている。
【００４１】
Ｚアライメント検出光学系７０は、結像レンズ７１、Ｙ方向にパワーを持ったシリンドリカルレンズ７２、センサ７３、Ｚアライメント検出補正回路７４を有し、Ｏ３はその光軸である。
【００４２】
Ｚアライメント指標投影光学系６０によって投影された指標光の角膜表面Ｔにおける反射光束は、結像レンズ７１によって集束されつつシリンドリカルレンズ７２を介してセンサ７３上に輝点像Ｑ’を形成する。センサ７３はラインセンサやＰＳＤのような位置検出可能な受光センサである。センサ７３からの情報はＺアライメント検出補正回路７４に導かれる。
【００４３】
なおＸＺ平面内においては、輝点像Ｑとセンサ７３は結像レンズ７１に関して共役な位置関係にあり、ＹＺ平面内においては、角膜頂点Ｐとセンサ７３が結像レンズ７１、シリンドリカルレンズ７２に関して共役な位置関係にある。つまりセンサ７３は開口絞り６３と共役関係にあり（このときの倍率は、開口絞り６３の像がセンサ７３の大きさより小さくなるように選んである）、Ｙ方向に角膜Ｃがずれたとしても角膜表面Ｔにおける反射光束は効率良くセンサ７３に入射するようになる。また、Ｙ方向に長いスリット光を投影することによっても効率は落ちるが同様な効果を得ることができる。
【００４４】
ところで、本実施の形態では、図１に示したようにＺ方向のアライメントを検出するための投影系と受光系は、Ｚアライメント指標投影光学系６０およびＺアライメント検出光学系７０であり、それぞれ一つずつ設けられている。このような構成において、ＸＹ方向のアライメントずれの影響を受けずにＺ方向のアライメント検出を正確に行うために、ＸＹアライメント検出回路４２からのＸＹアライメント情報をＺアライメント検出補正回路７４に入力するようにしている。
【００４５】
即ち、図６（ａ）に示すように、角膜Ｃの位置がＺ方向にΔＺずれた場合、センサ７３上で輝点像Ｑ’の位置がΔＺ×ｓｉｎθ×ｍだけ移動する。ここで、θは軸Ｏ１と軸Ｏ２および軸Ｏ１と軸Ｏ３のなす角度、ｍはＺアライメント光学系７０の結像倍率である。角膜ＣがＺ方向にずれただけであればセンサ７３上での輝点像Ｑ’の移動量から、角膜Ｃのずれ量は容易に算出できる。
【００４６】
しかし、図６（ｂ）に示すように、角膜Ｃの位置がＸ方向にΔＸずれた場合もセンサ７３上で輝点像Ｑ’の位置がΔＸ×ｃｏｓθ×ｍだけ移動する。そこで、Ｚ方向およびＸ方向にずれた場合は、Ｚアライメント検出補正回路７４は、センサ７３上での輝点像Ｑ’の基準位置からのずれ量ΔＱ’とＸＹアライメント検出回路４２からのずれ量ΔＸから、眼科装置Ｓと角膜ＣのＺ方向の位置関係（ずれ量ΔＺ）を次の式（１）に基づいて演算し、その演算結果を制御回路８０に出力する。
【００４７】
ΔＺ＝（ΔＱ’−ΔＸ×ｃｏｓθ×ｍ）／（ｓｉｎθ×ｍ）  ・・・（１）
次に、このような構成において、アライメント操作に不慣れな検者の場合の操作例を説明する。
【００４８】
検者はスイッチ群６に設けられた切替スイッチ６ａ（図１２参照）にてアライメント位置変更モードを選択し、架台３を被検眼Ｅから離れた安全な位置に動かす。この時、マイクロスイッチ８によって架台３の現在位置を検出する。
【００４９】
切替スイッチ６ａによってアライメント位置変更モードが選択されているときに被検眼Ｅに対して架台３が所定距離以上に離隔していることをマイクロスイッチ８で検出すると、図１２に示すように、制御手段８０によってモータユニット１００のモータ１０１が駆動され、レンズ保持ユニット９０を介して対物レンズ１６が変位されると共に、ピン９２ａが長孔９１ｂのＣＣＤカメラ１９側の端部に当接した位置（図７（Ｂ），図９（ｂ）の位置）で対物レンズ１６の変位が停止される。
【００５０】
この状態で被検眼Ｅの前眼部がＣＣＤカメラ１９上でピントが合うようにＸＹ方向に付いて概略アライメントを行う。この概略アライメントが完了した後、架台３を被検者側へさらに押し出すと、その押し出しがマイクロスイッチ８により検出される。
【００５１】
そのマイクロスイッチ８での検出によって制御手段８０は、作動距離が適正な作動距離に近付いたことを認識し、再び、モータユニット１００を作動させてピン９２ａが長孔９１ｂのノズル１２側の端部に当接した位置（図７（Ａ），図９（Ａ）の位置）で停止するまで対物レンズ１６を変位させる。
【００５２】
これにより、概略アライメント完了から、再び前眼部像がピンぼけした状態となるため、そのピントが合うように、今度は架台３が被検眼Ｅに近接した状態での詳細アライメントを行う。
【００５３】
そして、センサ４１，７３の出力情報から詳細アライメントが合ったことを制御回路８０が判断すると、気流吹き付けノズル１２から気流が吹き出されて公知の手段により眼圧測定が開始される。
【００５４】
次に装置の操作に熟練している検者の場合を示す。
【００５５】
検者が眼科装置Ｓの操作に熟練すると、多くの場合、モニタ３ａに表示された前眼部像が全くのピントずれ状熊になっていても、経験により概略のアライメント動作を完了させることができるようになる。
【００５６】
こうした検者にとっては、被検眼Ｅから架台３が離隔した位置と近接した位置との間で対物レンズ１６の位置が逐一変わるような前述のモードは、全体の操作時間が長くなり、却って不便である。
【００５７】
検者がこの対物レンズ１６の位置の自動切替えが不要と考える場合には、切替スイッチ６ａを押し、アライメント位置変更停止モードに変更する。
【００５８】
アライメント位置変更停止モードでは、架台３が被検眼Ｅに近接した位置にあってマイクロスイッチ８がＯＮになっている場合だけでなく、架台３が被検眼Ｅから離隔してマイクロスイッチ８がＯＦＦになっている場合においても、対物レンズ１６はＣＣＤ１９側に向けて移動されずにノズル１２側に位置される。
【００５９】
従って、対物レンズ１６を移動させることによる煩わしさが解消され、より早く最終アライメントを完了させることができる。
【００６０】
また、アライメント位置変更停止モードの場合、制御手段８０は測定のある区切りのとき、例えば、電源をオンしたとき、左右眼の切り換えが検知された時、測定データのプリント出力やデータクリアーの操作がされたとき、マイクロスイッチ８の作動が検出されたとき等にモータユニット１００を作動させ、ピン９２ａが長孔９１ｂのノズル１２側の端部に当接する位置（図７（Ａ），図９（Ａ）の位置）にまで移動させる。
【００６１】
これにより、架台３が振動して、ピン９２ａが長孔９１ｂのノズル１２側の端部に当接する位置（図７（Ａ），図９（Ａ）の位置）から僅かにずれた場合に、再び、ピン９２ａを長孔９１ｂのノズル１２側の端部に当接させるという位置再設定をすることとなり、常に対物レンズ１６が同一位置にある状態で詳細アライメント操作を行うことができる。
【００６２】
尚、アライメント位置変更停止モードとしたときには、モニタ３ａにその旨の警告表示を出し、検者に報知することで、操作ミスを防止する。
【００６３】
このように、検者が操作に不慣れな初心者の場合には、架台３の位置に応じて対物レンズ１６の位置を制御した可動焦点とすることによって、被検眼Ｅと架台３とが隔離した状態のときには、その離反した状態のままで被検眼Ｅに対してピントが合うようにし、その上で架台３を被検眼Ｅに接近させて被検眼Ｅと架台３とが近接した場合には、その近接した状態で被検眼Ｅにピントが合うように対物レンズ１６の位置が制御され、比較的簡単な位置合わせを行うことができる。
【００６４】
また、検者が熟練者の場合には、対物レンズ１６が被検眼Ｅと架台３とが近接したときにピントが合う位置の固定された固定焦点とすることによって、すばやく位置合わせを行うことができる。
【００６５】
さらに、モード切換え、アライメント位置変更手段によりピント位置を固定とした状態のときに、電源ＯＮ時や、クリアー、プリントアウト、左右眼切換え、架台３の前後移動時等には、対物レンズ１６を所定位置に設定し直すことで、対物レンズ１６が基準の位置からずれた状態のまま観察（又は撮影）のための操作をすることがなく、常にアライメントが支障なく行なえる。
【００６６】
【発明の効果】
以上説明したように、請求項１に記載の眼科装置によれば、被検眼に対して接近及び離反可能な架台と、被検眼前眼部を観察するために前記架台内に設けられた前眼部観察光学系と、前記前眼部観察光学系の合焦位置を変更するための合焦位置変更手段と、前記架台の被検眼方向に関する位置を検出するための架台位置検出手段と、前記架台位置検出手段からの出力に基づき前記合焦位置変更手段を制御する合焦位置変更制御手段と、前記合焦位置変更手段の動作を禁止する禁止手段とを備えた眼科装置としたことにより、禁止手段により合焦位置変更手段の制御が許容される場合と禁止される場合とで切り換えることができ、初心者・熟練者の何れに対しても操作性を向上することができる。
【００６７】
請求項２に記載の眼科装置によれば、前記禁止手段は、装置本体の振動による前記合焦位置変更手段のずれを補正するように作動することにより、常に合焦位置変更手段がずれの無い状態でアライメント操作を行うことができる。
【図面の簡単な説明】
【図１】本発明に係る眼科装置の光学系の要部の平面配置図である。
【図２】本発明に係る眼科装置の光学系の要部の側面配置図である。
【図３】角膜に正面から照射されたアライメント光束の反射の説明図である。
【図４】モニタに表示された前眼部像を示す図である。
【図５】角膜に斜め方向から照射されたアライメント光束の反射の説明図である。
【図６】角膜の位置がずれた場合の光束の入反射関係を示す図であって、（ａ）は角膜がＺ方向にずれた場合の説明図、（ｂ）は角膜がＸ方向にずれた場合の説明図である。
【図７】レンズ保持ユニットを示す図であって、（Ａ）は被検眼と架台とが近接しているときのレンズ保持ユニットの断面図、（Ｂ）は被検眼と架台とが離隔しているときのレンズ保持ユニットの断面図である。
【図８】モータユニットを示す図であって、（Ａ）はモータユニットの平面図、（Ｂ）はモータユニットの側面図である。
【図９】ピンと長孔とアーム部材との関係を示す図であって、（Ａ）は被検眼と架台とが近接しているときの要部の平面図、（Ｂ）は被検眼と架台とが離隔しているときの要部の平面図である。
【図１０】マイクロスイッチを示す図であって、要部の説明図である。
【図１１】眼科装置の外観を示す図であって、（Ａ）は眼科装置の正面図、（Ｂ）は眼科装置の側面図である。
【図１２】本発明の主要部に関わるブロック回路図である。
【符号の説明】
Ｅ…被検眼
３…下部架台（架台）
４…上部架台（架台）
６…スイッチ群
６ａ…切替スイッチ（禁止手段）
８…マイクロスイッチ（架台位置検出手段）
１０…前眼部観察光学系
８０…制御回路（合焦位置変更制御手段・禁止手段を兼用）
９０…レンズ保持ユニット（合焦位置変更手段）
１００…モータユニット（合焦位置変更手段）
【図１】
0004498547.tif 000002
【図２】
0004498547.tif 000003
【図３】
0004498547.tif 000004
【図４】
0004498547.tif 000005
【図５】
0004498547.tif 000006
【図６】
0004498547.tif 000007
【図７】
0004498547.tif 000008
【図８】
0004498547.tif 000009
【図９】
0004498547.tif 000010
【図１０】
0004498547.tif 000011
【図１１】
0004498547.tif 000012
【図１２】
0004498547.tif 000013